【手続補正書】
【提出日】平成29年5月17日(2017.5.17)
【手続補正１】
【補正対象書類名】特許請求の範囲
【補正対象項目名】全文
【補正方法】変更
【補正の内容】
【特許請求の範囲】
【請求項１】
中性子検出システムであって、
格納容器と
前記格納容器内に少なくとも部分的に含まれる原子炉容器と、
前記原子炉容器の外部に位置する中性子検出装置であって、前記原子炉容器内で発生した中性子を検出するように構成される中性子検出装置と、
前記原子炉容器および前記格納容器との中間に位置する格納領域に収容された格納媒体であって、中性子減衰係数と関連する格納媒体と、
前記原子炉容器と前記格納容器との間に少なくとも部分的に位置する中性子パス装置と、
前記中性子パス装置内に含まれる中性子パス媒体と、
を備え、前記中性子パス装置は、前記中性子パス媒体を通る中性子源と前記中性子検出装置との間の中性子パスを提供するように構成され、前記中性子パス媒体に関連する中性子減衰係数は、前記格納媒体に関連する前記中性子減衰係数未満である中性子検出システム。
【請求項２】
前記中性子パス媒体が気体を備え、前記格納媒体が液体を備える請求項１に記載の中性子検出システム。
【請求項３】
前記中性子パス媒体が前記中性子パス装置内で大気圧未満に維持される請求項１又は請求項２に記載の中性子検出システム。
【請求項４】
前記中性子パス装置が少なくとも部分的に前記格納領域内に位置する請求項１〜請求項３のいずれか一項に記載の中性子検出システム。
【請求項５】
前記中性子パス装置の少なくとも一部は、前記格納媒体に囲まれ、前記中性子パス装置は、前記格納媒体から分離して前記中性子パス媒体を収容するように構成される請求項１〜請求項４のいずれか一項に記載の中性子検出システム。
【請求項６】
前記中性子検出システムは、起動しきい値を超える、前記中性子検出装置による中性子数の検出が前記中性子パス装置によって可能になることに応答して、原子炉起動運転を開始するように構成される請求項１〜請求項５のいずれか一項に記載の中性子検出システム。
【請求項７】
前記中性子パス装置は、前記中性子パス装置の外表面が大気圧以上の圧力に晒される場合に、減圧状態に前記中性子パス媒体を維持するように構成される請求項１〜請求項６のいずれか一項に記載の中性子検出システム。
【請求項８】
前記中性子パス装置は、冷却システムに関連する空間の体積を変位させるように構成され、前記空間の変位した体積は、前記冷却システムに関連した静水頭を上昇させる請求項１〜請求項７のいずれか一項に記載の中性子検出システム。
【請求項９】
前記中性子パス装置は更に、前記中性子パス装置の構造上の構成に少なくとも一部基づいて、前記冷却システムに関連した冷却速度を調節するように構成される請求項８に記載の中性子検出システム。
【請求項１０】
原子力容器と
前記原子力容器内に含まれる媒体と、
前記原子力容器内に位置する中性子源と、
中性子検出器と、
前記媒体によって少なくとも部分的に囲まれるコンテナであって、前記コンテナ内への周囲媒体の侵入を禁止するように構成され、更には、前記中性子源と前記中性子検出器との間に中性子パスを提供するように構成されたコンテナと、
前記コンテナに収容された中性子パス媒体と、
を備え、
前記中性子パス媒体は、部分真空に維持され、
部分真空に維持された前記中性子パス媒体に関連した中性子減衰係数は、前記周囲媒体に関連した中性子減衰係数未満である中性子パス装置。
【請求項１１】
前記コンテナは更に、前記周囲媒体が前記コンテナに前記部分真空より大きい圧力をかけるときの前記周囲媒体の侵入を禁止するように構成される請求項１０に記載の中性子パス装置。
【請求項１２】
前記中性子パス媒体が気体を備える請求項１０又は請求項１１に記載の中性子パス装置。
【請求項１３】
前記中性子パス媒体が本質的に窒素から構成される請求項１０〜請求項１２のいずれか一項に記載の中性子パス装置。
【請求項１４】
前記コンテナが、
前記中性子源から前記中性子を受け取るように構成された第１端と、
前記中性子検出器に前記中性子を送るように構成された第２端と、
を含み、前記第１端が前記第２端より大きい請求項１０〜請求項１３のいずれか一項に記載の中性子パス装置。
【請求項１５】
前記コンテナが前記第１端から前記第２端に先細にされた外形を備える請求項１４に記載の中性子パス装置。
【請求項１６】
前記コンテナは、セグメント化されたコンパートメントを含み、前記中性子パスは、前記セグメント化されたコンパートメントを通り、複数の前記セグメント化されたコンパートメントは、前記部分真空を維持するために別々に密閉されている請求項１０〜請求項１３のいずれか一項に記載の中性子パス装置。
【請求項１７】
格納容器と、
前記格納容器内に少なくとも部分的に含まれる原子炉容器と、
前記原子炉容器内に位置する炉心と、
前記原子炉容器と前記格納容器との中間に位置する格納領域内に収容された格納媒体と、
前記炉心内で生じた中性子を、中性子パスを通じて送るための手段と、
前記送るための手段内に含まれ、前記中性子パスの少なくとも一部を提供する中性子パス媒体であって、中性子減衰係数と関連する前記中性子パス媒体と、
前記中性子パスを通じて送られる前記中性子の数を検出するための手段であって、前記原子炉容器の外部に位置する手段と、
を備え、前記格納媒体に関連した中性子減衰係数は、前記中性子パス媒体に関連した中性子減衰係数より大きい装置。
【請求項１８】
前記送るための手段は、前記格納媒体の前記送るための手段への侵入を妨げるように構成される請求項１７に記載の装置。
【請求項１９】
前記中性子パス媒体と関連する前記中性子減衰係数は、前記格納媒体が前記格納領域へ解放される前後の両方で、相対的に一定のままである請求項１７又は請求項１８に記載の装置。
【請求項２０】
前記検出するための手段で検出される中性子の数は、前記格納媒体が前記格納領域内へ解放される前後の両方において、相対的に一定のままである請求項１７〜請求項１９のいずれか一項に記載の装置。
【請求項２１】
格納容器と、
前記格納容器内に少なくとも部分的に含まれる原子炉容器と、
前記原子炉容器の外部に位置する中性子検出装置と、
前記原子炉容器と前記格納容器との間に位置する格納領域内に収容された第１媒体と、
前記原子炉容器内に含まれる第２媒体と、
前記原子炉容器に取り付けられた中性子パス装置であって、前記第２媒体が前記中性子パス装置の少なくとも一部を囲む前記中性子パス装置と、
前記中性子検出装置によって検出される中性子に対する中性子パスを提供する前記中性子パス装置内に収容された減衰パス媒体と、
を備え、前記中性子パスを通って移動する前記中性子は、前記第１媒体を通って前記格納領域内に入り、前記減衰パス媒体は、前記第２媒体と比較して、より小さな中性子減衰係数と関連する中性子検出システム。
【請求項２２】
前記中性子パスは、前記中性子パス装置に広がり、前記中性子パス装置内に完全に含まれている請求項２１に記載の中性子検出システム。
【請求項２３】
前記中性子パス装置は、前記第１媒体および前記第２媒体の両方を通り、前記中性子検出装置は、前記格納容器の外表面に取り付けられている請求項２１又は請求項２２に記載の中性子検出システム。
【請求項２４】
前記原子炉容器内から発生または放射された中性子は、前記減衰パス媒体によって実質完全に減衰された後、前記中性子検出装置によって受け取られる請求項２１〜請求項２３のいずれか一項に記載の中性子検出システム。
【請求項２５】
前記中性子検出装置は、前記原子炉容器の外表面に取り付けられ、前記格納領域に収容された前記第１媒体内に位置している請求項２１又は請求項２２に記載の中性子検出システム。
【請求項２６】
前記格納容器の外表面へ取り付けられた第２中性子検出装置を更に含む請求項２５に記載の中性子検出システム。
【請求項２７】
前記第２中性子検出装置は、前記中性子検出装置によって検出される前記中性子に加えて中性子の冗長測定を提供するように構成されている請求項２６に記載の中性子検出システム。
【請求項２８】
前記中性子検出装置は、第１運転モード中に中性子を検出するように構成され、前記第２中性子検出装置は、第２運転モード中に中性子を検出するように構成され、前記第２運転モードが、前記第１運転モードと比較して、より高い中性子束に関連している請求項２６に記載の中性子検出システム。